(57)【要約】【課題】保留リコール着信処理中に移動端末が他のゲートウェイ装置のエリアに移動したとしても、移動端末及び相手先端末間の保留中の通話を再開できる無線電話システムを提供する。【解決手段】移動端末２、複数のゲートウェイ装置４、アドレス管理装置５及びＩＰ電話機６を備えた無線電話システム１であって、アドレス管理装置側にて移動端末がＩＰ電話機と保留したまま、移動先のゲートウェイ装置４Ｂのエリア内に移動したことを示すＲＲＱを受信すると、移動によるＤＲＱを保留中のＩＰ電話機に通知し、ＩＰ電話機は、移動によるＤＲＱを受信すると、移動元のゲートウェイ装置４Ａによる保留リコール着信処理の停止を指示し、移動先のゲートウェイ装置４Ｂ経由で保留中の移動端末に対して再発呼による保留リコール着信処理を開始するようにした。【選択図】図１
2008219632.tif 000002
【特許請求の範囲】
【請求項１】
移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムであって、
前記アドレス管理装置は、
前記移動端末毎に通信状態を管理する通信状態管理手段と、
この通信状態管理手段の管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知する切断要求通知手段とを有し、
前記通話保留中の相手先端末は、
前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行する保留リコール着信制御手段を有することを特徴とする無線電話システム。
【請求項２】
移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムであって、
前記アドレス管理装置は、
前記移動端末毎に通信状態を管理する通信状態管理手段と、
この通信状態管理手段の管理内容に基づき、前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知する切断要求通知手段とを有し、
前記移動元のゲートウェイ装置は、
前記アドレス管理装置から前記移動による切断要求を受信すると、前記移動端末への保留リコール着信動作を停止すると共に、移動による切断要求を、前記通話保留中の相手先端末に通知するゲートウェイ側切断要求通知手段を有し、
前記通話保留中の相手先端末は、
前記移動元のゲートウェイ装置から前記移動による切断要求を受信すると、前記移動端末と前記移動元のゲートウェイ装置との通話接続を解放し、前記移動先のゲートウェイ装置経由で前記通話保留中の移動端末に対して再発呼による保留リコール着信動作を実行する保留リコール着信制御手段を有することを特徴とする無線電話システム。
【請求項３】
移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムの保留リコール着信方法であって、
前記アドレス管理装置側にて前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知するステップと、
前記通話保留中の相手先端末側にて前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するステップとを実行することを特徴とする無線電話システムの保留リコール着信方法。
【請求項４】
移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムの保留リコール着信方法であって、
前記アドレス管理装置側にて前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知するステップと、
前記移動元のゲートウェイ装置側にて前記アドレス管理装置から前記移動による切断要求を受信すると、前記移動端末への保留リコール着信動作を停止すると共に、移動による切断要求を、前記通話保留中の相手先端末に通知するステップと、
前記通話保留中の相手先端末側にて前記移動元のゲートウェイ装置から前記移動による切断要求を受信すると、前記移動端末と前記移動元のゲートウェイ装置との通話接続を解放し、前記移動先のゲートウェイ装置経由で前記通話保留中の移動端末に対して再発呼による保留リコール着信動作を実行するステップとを実行することを特徴とする無線電話システムの保留リコール着信方法。
【発明の詳細な説明】
【技術分野】
【０００１】
本発明は、例えばＴＴＣ標準ＪＴ−Ｈ３２３又はＩＴＵ勧告Ｈ．３２３に基づく通信ネットワークと通信接続すると共に、複数の移動端末をエリア毎に無線収容接続するゲートウェイ装置と、移動端末及びゲートウェイ装置のアドレス情報及び位置情報を管理するアドレス管理装置とを備え、移動端末は、ゲートウェイ装置を通じてダイレクトシグナリング方式で通信ネットワーク内の相手先端末と通信接続する無線電話システム及び、その保留リコール着信方法に関する。
【背景技術】
【０００２】
従来、このようなＴＴＣ標準ＪＴ−Ｈ３２３又はＩＴＵ勧告Ｈ．３２３に基づく通信ネットワークと通信接続すると共に、複数の移動端末をエリア毎に無線収容接続するゲートウェイ装置と、移動端末及びゲートウェイ装置のアドレス情報及び位置情報を管理するアドレス管理装置とを備え、アドレス管理装置は、移動端末が移動先のゲートウェイ装置のエリア内に移動したことを示す位置登録要求を受信すると、移動端末のアドレス情報及び移動先のゲートウェイ装置のアドレス情報を対応付けて移動端末の位置情報を一元管理する無線電話システムが広く知られている(例えば特許文献１参照)。
【０００３】
このような特許文献１の無線電話システムによれば、アドレス管理装置側で移動端末の位置情報を一元管理しているので、移動端末がゲートウェイ装置間を移動したとしても、その移動端末の現在位置を認識することができる。
【０００４】
また、このような特許文献１の無線電話システムにおいては、移動端末がゲートウェイ装置経由で相手先端末との通話保留中に前記移動端末側のオンフック操作に応じて、この移動端末が位置するエリアのゲートウェイ装置が前記移動端末に対して再発呼による保留リコール着信処理を開始し、この保留リコール着信処理に対する前記移動端末側の応答操作に応じて、前記移動端末及び相手先端末間の通話保留を解除して通話を再開する技術が知られている。
【０００５】
図７は、このような保留リコール着信機能を備えた従来の無線電話システム１００内部の概略構成を示すブロック図である。
【０００６】
図７に示す無線電話システム１００は、複数の移動端末１０２と、エリア１０４Ｘ毎に移動端末１０２を無線収容接続すると共に、移動端末１０２をＩＰ網１０３に通信接続する複数のゲートウェイ装置１０４と、移動端末１０２及びゲートウェイ装置１０４のアドレス情報及び、移動端末１０２の位置情報を管理するアドレス管理装置１０５と、ＩＰ網１０３に接続するＩＰ電話機１０６とを有し、移動端末１０２及びＩＰ電話機１０６間の通話保留中に移動端末１０２側のオンフック操作に応じて、この移動端末１０２が位置するエリア１０４Ｘのゲートウェイ装置１０４が移動端末１０２に対して保留リコール着信処理による着呼（再発呼）を開始し、この保留リコール着信処理の着呼（再発呼）に対する移動端末１０２側の応答操作に応じて、移動端末１０２及びＩＰ電話機１０６間の通話保留を解除して通話を再開するものである。
【０００７】
アドレス管理装置１０５は、移動端末１０２及びゲートウェイ装置１０４のアドレス情報と、移動端末１０２の位置情報の他に、移動端末１０２のアドレス情報に対応付けた電話番号とを管理すると共に、ＩＰ電話機１０６の電話番号及びアドレス情報を対応付けて管理するものである。
【０００８】
図８は従来の無線電話システム１００の移動端末１０２及びＩＰ電話機１０６間の通話確立処理に関わる処理動作を端的に示す動作シーケンス図である。
【０００９】
図８において、例えばＩＰ電話機１０６は、通信相手先である移動端末１０２の電話番号入力による移動端末１０２への発信操作を検出すると（ステップＳ２０１）、移動端末１０２の電話番号に対応するアドレス情報を問い合わせるべく、アドレス要求／通話開始通知（ＡＲＱ）をアドレス管理装置１０５に通知する（ステップＳ２０２）。
【００１０】
アドレス管理装置１０５は、アドレス要求／通話開始通知（ＡＲＱ）を受信すると、移動端末１０２の電話番号に対応したアドレス情報、すなわち移動端末１０２の現在位置に相当するゲートウェイ装置１０４のアドレス情報を含む移動端末１０２のアドレス情報を読み出し、この移動端末１０２のアドレス情報を含むアドレス確認／通話開始確認（ＡＣＦ）をＩＰ電話機１０６に通知する（ステップＳ２０３）。
【００１１】
ＩＰ電話機１０６は、移動端末１０２のアドレス情報に基づき、移動端末１０２の現在位置に相当する移動元のゲートウェイ装置１０４Ａに対して呼設定（ＳＥＴＵＰ）を通知する（ステップＳ２０４）。
【００１２】
移動端末１０２が位置する移動元のゲートウェイ装置１０４Ａは、呼設定（ＳＥＴＵＰ）をＩＰ電話機１０６から受信すると、この呼設定（ＳＥＴＵＰ）を受付ける呼設定受付（ＣＡＬＬＰＲＯＣ）をＩＰ電話機１０６に通知すると共に（ステップＳ２０５）、アドレス管理装置１０５で通話状態を管理するため、アドレス要求／通話開始通知（ＡＲＱ）をアドレス管理装置１０５に通知し（ステップＳ２０６）、アドレス管理装置１０５からアドレス確認／通話開始確認（ＡＣＦ）を受信する（ステップＳ２０７）。
【００１３】
移動元のゲートウェイ装置１０４Ａは、アドレス確認／通話開始確認（ＡＣＦ）を受信すると、ＩＰ電話機１０６の相手先である移動端末１０２のアドレス情報に基づき着呼を移動端末１０２に通知する（ステップＳ２０８）。
【００１４】
移動元のゲートウェイ装置１０４Ａは、移動端末１０２から着呼に対する着呼応答を受信すると（ステップＳ２０９）、呼設定（ＳＥＴＵＰ）を移動端末１０２に通知する（ステップＳ２１０）。
【００１５】
移動端末１０２は、呼設定（ＳＥＴＵＰ）を受信すると、この呼設定（ＳＥＴＵＰ）に対する呼設定受付（ＣＡＬＬＰＲＯＣ）を移動元のゲートウェイ装置１０４Ａに通知すると共に（ステップＳ２１１）、呼出中（ＡＬＥＲＴ）を移動元のゲートウェイ装置１０４Ａに通知した後（ステップＳ２１２）、呼出音を鳴動する（ステップＳ２１３）。
【００１６】
移動元のゲートウェイ装置１０４Ａは、移動端末１０２からの呼出中（ＡＬＥＲＴ）を受信すると、呼出中（ＡＬＥＲＴ）を発信相手のＩＰ電話機１０６に通知する（ステップＳ２１４）。
【００１７】
ＩＰ電話機１０６は、移動元のゲートウェイ装置１０４Ａからの呼出中（ＡＬＥＲＴ）を受信すると、リングバックトーン（Ｒｉｎｇ  Ｂａｃｋ  Ｔｏｎｅ）を音声出力する（ステップＳ２１５）。
【００１８】
移動端末１０２は、ステップＳ２１３の呼出音鳴動中に応答操作を検出すると（ステップＳ２１６）、応答（ＣＯＮＮＥＣＴ）を移動元のゲートウェイ装置１０４Ａに通知する（ステップＳ２１７）。
【００１９】
移動元のゲートウェイ装置１０４Ａは、移動端末１０２からの応答（ＣＯＮＮＥＣＴ）を受信すると、応答（ＣＯＮＮＥＣＴ）を相手先のＩＰ電話機１０６に通知する（ステップＳ２１８）。
【００２０】
ＩＰ電話機１０６は、移動元のゲートウェイ装置１０４Ａからの応答（ＣＯＮＮＥＣＴ）を受信すると、移動元のゲートウェイ装置１０４Ａ経由で移動端末１０２との通話を確立することになる（ステップＳ２１９）。
【００２１】
次にＩＰ電話機１０６及び移動端末１０２間の通話確立後、移動端末１０２側からの保留操作に応じて通話保留を開始し、その通話保留中の通話を再開するまでの処理動作について説明する。図９は従来の無線電話システム１００に関わる移動端末１０２及びＩＰ電話機１０６間の保留リコール着信処理に関わる処理動作を示す動作シーケンス図である。
【００２２】
次に図９に示す移動端末１０２は、移動元のゲートウェイ装置１０４Ａ経由でＩＰ電話機１０６との通話中に、保留操作を検出すると（ステップＳ２３１）、保留操作に相当するＩＮＦＯを移動元のゲートウェイ装置１０４Ａに通知する（ステップＳ２３２）。
【００２３】
移動元のゲートウェイ装置１０４Ａは、保留操作のＩＮＦＯを受信すると、保留動作の開始（ＦＡＣＩＬＩＴＹ（ｒｅｍｏｔｅ  Ｈｏｌｄ．ｉｎｖ））をＩＰ電話機１０６に通知する（ステップＳ２３３）。
【００２４】
ＩＰ電話機１０６は、保留動作開始（ＦＡＣＩＬＩＴＹ（ｒｅｍｏｔｅ  Ｈｏｌｄ．ｉｎｖ））を受信すると、保留開始確認（ＦＡＣＩＬＩＴＹ（ｒｅｍｏｔｅ  Ｈｏｌｄ．ｒｒ））を移動元のゲートウェイ装置１０４Ａに通知する（ステップＳ２３４）。
【００２５】
移動元のゲートウェイ装置１０４Ａは、ＩＰ電話機１０６からの保留開始確認（ＦＡＣＩＬＩＴＹ（ｒｅｍｏｔｅ  Ｈｏｌｄ．ｒｒ））を受信すると、移動端末１０２及びＩＰ電話機１０６間を通話保留中に設定する（ステップＳ２３５）。尚、ＩＰ電話機１０６は、移動端末１０２との通信状態が通話保留中に設定されると、保留音（Ｈｏｌｄ  Ｔｏｎｅ／Ｍｅｌｏｄｙ）を音声出力することになる（ステップＳ２３６）。
【００２６】
さらに移動元のゲートウェイ装置１０４Ａは、ＩＰ電話機１０６との通話保留中に、移動端末１０２からのオンフック操作を検出すると（ステップＳ２３７）、切断を移動元のゲートウェイ装置１０４Ａに通知する（ステップＳ２３８）。
【００２７】
移動元のゲートウェイ装置１０４Ａは、切断を受信すると、移動端末１０２との通話接続を解放する解放を移動端末１０２に通知する（ステップＳ２３９）。移動端末１０２は、解放を受信すると、移動元のゲートウェイ装置１０４Ａとの接続を解放し、解放完了を移動元のゲートウェイ装置１０４Ａに通知する（ステップＳ２４０）。
【００２８】
移動元のゲートウェイ装置１０４Ａは、解放完了を受信すると、通話保留中の移動端末１０２からの切断であることから保留リコール着信処理を開始し（ステップＳ２４１）、移動端末１０２に対して着呼（再発呼）を通知する（ステップＳ２４２）。
【００２９】
移動端末１０２は、移動元のゲートウェイ装置１０４Ａの保留リコール着信処理に関わる着呼（再発呼）を受信すると、着呼（再発呼）に対する着呼応答を移動元のゲートウェイ装置１０４Ａに通知する（ステップＳ２４３）。
【００３０】
移動元のゲートウェイ装置１０４Ａは、移動端末１０２からの着呼応答を受信すると、呼設定（ＳＥＴＵＰ）を移動端末１０２に通知する（ステップＳ２４４）。移動端末１０２は、呼設定（ＳＥＴＵＰ）を受信すると、この呼設定（ＳＥＴＵＰ）に対する呼設定受付（ＣＡＬＬＰＲＯＣ）を移動元のゲートウェイ装置１０４Ａに通知すると共に（ステップＳ２４５）、呼出中（ＡＬＥＲＴ）を移動元のゲートウェイ装置１０４Ａに通知する（ステップＳ２４６）。
【００３１】
移動端末１０２は、呼出中（ＡＬＥＲＴ）を出力すると、呼出音を鳴動し（ステップＳ２４７）、この呼出音鳴動中に応答操作を検出すると（ステップＳ２４８）、応答（ＣＯＮＮＥＣＴ）を移動元のゲートウェイ装置１０４Ａに通知する（ステップＳ２４９）。
【００３２】
移動元のゲートウェイ装置１０４Ａは、移動端末１０２からの応答（ＣＯＮＮＥＣＴ）を受信すると、保留中のＩＰ電話機１０６との通話保留を解除して通話を再開すべく、保留解除（ＦＡＣＩＬＩＴＹ（ｒｅｍｏｔｅ  Ｒｅｔｒｉｅｖｅ．ｉｎｖ））をＩＰ電話機１０６に通知する（ステップＳ２５０）。
【００３３】
ＩＰ電話機１０６は、保留解除（ＦＡＣＩＬＩＴＹ（ｒｅｍｏｔｅ  Ｒｅｔｒｉｅｖｅ．ｉｎｖ））を受信すると、保留解除確認（ＦＡＣＩＬＩＴＹ（ｒｅｍｏｔｅ  Ｒｅｔｒｉｅｖｅ．ｒｒ））を移動元のゲートウェイ装置１０４Ａに通知する（ステップＳ２５１）。
【００３４】
移動元のゲートウェイ装置１０４Ａは、ＩＰ電話機１０６からの保留解除確認（ＦＡＣＩＬＩＴＹ（ｒｅｍｏｔｅ  Ｒｅｔｒｉｅｖｅ．ｒｒ））を受信すると、移動端末１０２及びＩＰ電話機１０６間の通話保留を解除して通話を再開することになる（ステップＳ２５２）。
【００３５】
図９に示す保留リコール着信処理によれば、ＩＰ電話機１０６及び移動端末１０２間の保留中に移動端末１０２側のオンフック操作を検出すると、移動端末１０２及び移動元のゲートウェイ装置１０４Ａ間の通話接続を一旦解放した後、移動元のゲートウェイ装置１０４Ａから移動端末１０２に対して着呼（再発呼）による保留リコール着信処理を開始し、この着呼（再発呼）に対する移動端末１０２側の応答操作に応じて移動端末１０２及びＩＰ電話機１０６間の通話保留を解除して通話を再開することができる。
【特許文献１】特開２００５−２６９３６号公報（要約書及び図１、図２参照）
【発明の開示】
【発明が解決しようとする課題】
【００３６】
しかしながら、上記従来の無線電話システム１００によれば、ＩＰ電話機１０６及び移動端末１０２間の通話保留中に移動端末１０２のオンフック操作を検出すると、移動端末１０２及び移動元のゲートウェイ装置１０４Ａ間の通話接続を一旦解放した後、移動元のゲートウェイ装置１０４Ａから移動端末１０２に対して着呼（再発呼）による保留リコール着信動作を開始し、この着呼（再発呼）に対する移動端末１０２側の応答操作に応じて移動端末１０２及びＩＰ電話機１０６間の通話保留を解除して通話を再開するようにしたが、移動端末１０２の保留中等の通信状態は移動元のゲートウェイ装置１０４Ａ側でしか把握することができないため、例えば移動端末１０２及びＩＰ電話機１０４間の通話保留中に移動元のゲートウェイ装置１０４Ａのエリア１０４Ｘから移動先のゲートウェイ装置１０４Ｂのエリア１０４Ｘに移動端末１０２が移動した場合、次に説明するような不具合が生じる。図１０は移動端末エリア移動時の保留リコール着信処理に関わる処理動作を示す動作シーケンス図である。
【００３７】
図１０に示す移動元のゲートウェイ装置１０４Ａは、ステップＳ２３５〜ステップＳ２４０の処理動作を実行した後、通話保留中の移動端末１０２からの切断であることから、ステップＳ２４１にて移動端末１０２への保留リコール着信処理を開始し、ステップＳ２４２にて移動端末１０２に対して着呼（再発呼）を通知することになる。この際、移動端末１０２が移動元のゲートウェイ装置１０４Ａのエリア１０４Ｘから移動先のゲートウェイ装置１０４Ｂのエリア１０４Ｘに移動した場合（ステップＳ２６１）、移動端末１０２は、移動先のゲートウェイ装置１０４Ｂに対して位置登録要求を通知する（ステップＳ２６２）。
【００３８】
移動先のゲートウェイ装置１０４Ｂは、移動端末１０２の位置登録要求を受信すると、移動端末１０２が移動先のゲートウェイ装置１０４Ｂのエリア１０４Ｘに移動したことを通知する位置登録要求（ＲＲＱ）をアドレス管理装置１０５に通知する（ステップＳ２６３）。
【００３９】
アドレス管理装置１０５は、移動先のゲートウェイ装置１０４Ｂからの位置登録要求（ＲＲＱ）を受信すると、移動端末１０２の位置情報を登録し、位置登録完了（ＲＣＦ）を移動先のゲートウェイ装置１０４Ｂに通知する（ステップＳ２６４）。
【００４０】
移動先のゲートウェイ装置１０４Ｂは、アドレス管理装置１０５からの位置登録完了（ＲＣＦ）を受信すると、位置登録完了を移動端末１０２に通知することになる（ステップＳ２６５）。
【００４１】
この際、移動元のゲートウェイ装置１０４Ａは、移動端末１０２が他のエリア１０４Ｘに移動したとしても、通話保留中の移動端末１０２からの切断であることから保留リコール着信処理を開始し、移動端末１０２に対して着呼（再発呼）を繰り返し継続することになるが（ステップＳ２６６）、移動端末１０２がゲートウェイ装置１０４Ａのエリア外であるため、この着呼（再発呼）に対する着呼応答を移動端末１０２から受信することができず、その結果、保留リコール着信処理を停止することになる（ステップＳ２６７）。尚、移動元のゲートウェイ装置１０４Ａは、保留リコール着信処理を停止すると、移動端末２との呼接続を解放し、解放完了（ＲＥＬＣＯＭＰ）を通話保留相手のＩＰ電話機１０２に通知する（ステップＳ２６８）。
【００４２】
その後、アドレス管理装置１０５は、移動元のゲートウェイ装置１０４Ａからの通話終了通知（ＤＲＱ）を受信すると（ステップＳ２６９）、通話終了確認（ＤＣＦ）を移動元のゲートウェイ装置１０４Ａに通知すると共に（ステップＳ２７０）、通話保留相手のＩＰ電話機１０６からの通話終了通知（ＤＲＱ）を受信すると（ステップＳ２７１）、通話終了確認（ＤＣＦ）をＩＰ電話機１０６に通知することで（ステップＳ２７２）、保留リコール着信処理は失敗したことになる。
【００４３】
つまり、上記従来の無線電話システム１００によれば、移動元のゲートウェイ装置１０４Ａ経由で移動端末１０２及びＩＰ電話機１０６間の通話保留中に移動端末１０２側のオンフック操作に応じて、移動元のゲートウェイ装置１０４Ａが移動端末１０２に対して保留リコール着信処理を開始することになるが、移動元のゲートウェイ装置１０４Ａ側でしか移動端末１０２が通話保留中であることを認識することができないため、保留リコール着信処理中に移動端末１０２が移動元のゲートウェイ装置１０４Ａのエリアから外れた場合、移動元のゲートウェイ装置１０４Ａによる保留リコール着信処理が失敗し、移動端末１０２及び通話保留相手のＩＰ電話機１０６間の通話を再開することができない。
【００４４】
本発明は上記点に鑑みてなされたものであり、その目的とするところは、保留リコール着信処理中に移動端末が他のゲートウェイ装置のエリアに移動したとしても、移動端末及び相手先端末間の通話保留を解除して通話を再開することができる無線電話システム及び、その無線電話システムの保留リコール着信方法を提供することにある。
【課題を解決するための手段】
【００４５】
上記目的を達成するために本発明の無線電話システムは、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムであって、前記アドレス管理装置は、前記移動端末毎に通信状態を管理する通信状態管理手段と、この通信状態管理手段の管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知する切断要求通知手段とを有し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行する保留リコール着信制御手段を有するようにした。
【００４６】
また、上記目的を達成するために本発明の無線電話システムの保留リコール着信方法は、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムの保留リコール着信方法であって、前記アドレス管理装置側にて前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知するステップと、前記通話保留中の相手先端末側にて前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するステップとを実行するようにした。
【発明の効果】
【００４７】
上記のように構成された本発明の無線電話システムによれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【００４８】
また、本発明の無線電話システムの保留リコール着信方法によれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【発明を実施するための最良の形態】
【００４９】
本願請求項１記載の無線電話システムは、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムであって、前記アドレス管理装置は、前記移動端末毎に通信状態を管理する通信状態管理手段と、この通信状態管理手段の管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知する切断要求通知手段とを有し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行する保留リコール着信制御手段を有するようにした。
【００５０】
従って、本願請求項１記載の無線電話システムによれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【００５１】
また、本願請求項２記載の無線電話システムは、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムであって、前記アドレス管理装置は、前記移動端末毎に通信状態を管理する通信状態管理手段と、この通信状態管理手段の管理内容に基づき、前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知する切断要求通知手段とを有し、前記移動元のゲートウェイ装置は、前記アドレス管理装置から前記移動による切断要求を受信すると、前記移動端末への保留リコール着信動作を停止すると共に、移動による切断要求を、前記通話保留中の相手先端末に通知するゲートウェイ側切断要求通知手段を有し、前記通話保留中の相手先端末は、前記移動元のゲートウェイ装置から前記移動による切断要求を受信すると、前記移動端末と前記移動元のゲートウェイ装置との通話接続を解放し、前記移動先のゲートウェイ装置経由で前記通話保留中の移動端末に対して再発呼による保留リコール着信動作を実行する保留リコール着信制御手段を有するようにした。
【００５２】
従って、本願請求項２記載の無線電話システムによれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知し、前記移動元のゲートウェイ装置は、前記アドレス管理装置から前記移動による切断要求を受信すると、前記移動端末への保留リコール着信動作を停止すると共に、移動による切断要求を、前記通話保留中の相手先端末に通知し、前記通話保留中の相手先端末は、前記移動元のゲートウェイ装置から前記移動による切断要求を受信すると、前記移動端末と前記移動元のゲートウェイ装置との通話接続を解放し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【００５３】
本願請求項３記載の無線電話システムの保留リコール着信方法は、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムの保留リコール着信方法であって、前記アドレス管理装置側にて前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知するステップと、前記通話保留中の相手先端末側にて前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するステップとを実行するようにした。
【００５４】
本願請求項３記載の無線電話システムの保留リコール着信方法によれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、移動による切断要求を通話保留中の相手先端末に通知し、前記通話保留中の相手先端末は、前記移動による切断要求を受信すると、移動元のゲートウェイ装置による前記移動端末への保留リコール着信動作の停止を指示し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【００５５】
本願請求項４記載の無線電話システムの保留リコール着信方法は、移動端末と、エリア毎に移動端末を無線収容接続すると共に、前記移動端末をネットワークに通信接続する複数のゲートウェイ装置と、前記移動端末及び前記ゲートウェイ装置のアドレス情報及び位置情報を管理するアドレス管理装置とを有し、前記移動端末及び相手先端末間の通話保留中に前記移動端末側の特定操作に応じて、この移動端末が位置するエリアのゲートウェイ装置が前記移動端末に対して保留リコール着信動作を実行し、この保留リコール着信動作に対する前記移動端末側の応答操作に応じて、前記移動端末及び相手先端末間の通話を再開する無線電話システムの保留リコール着信方法であって、前記アドレス管理装置側にて前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知するステップと、前記移動元のゲートウェイ装置側にて前記アドレス管理装置から前記移動による切断要求を受信すると、前記移動端末への保留リコール着信動作を停止すると共に、移動による切断要求を、前記通話保留中の相手先端末に通知するステップと、前記通話保留中の相手先端末側にて前記移動元のゲートウェイ装置から前記移動による切断要求を受信すると、前記移動端末と前記移動元のゲートウェイ装置との通話接続を解放し、前記移動先のゲートウェイ装置経由で前記通話保留中の移動端末に対して再発呼による保留リコール着信動作を実行するステップとを実行するようにした。
【００５６】
従って、本願請求項４記載の無線電話システムの保留リコール着信方法によれば、前記アドレス管理装置側にて前記移動端末毎に通信状態を管理し、この管理内容に基づき、前記移動端末が前記相手先端末と保留したまま、前記複数のゲートウェイ装置の内、移動先のゲートウェイ装置のエリア内に移動したことを示す位置登録要求を受信すると、前記通話保留中の移動端末への保留リコール着信動作実行中の移動元のゲートウェイ装置に対して、移動による切断要求を通知し、前記移動元のゲートウェイ装置は、前記アドレス管理装置から前記移動による切断要求を受信すると、前記移動端末への保留リコール着信動作を停止すると共に、移動による切断要求を、前記通話保留中の相手先端末に通知し、前記通話保留中の相手先端末は、前記移動元のゲートウェイ装置から前記移動による切断要求を受信すると、前記移動端末の前記移動元のゲートウェイ装置との通話接続を解放し、前記移動先のゲートウェイ装置経由で前記通話保留中の移動端末に対して再発呼による保留リコール着信動作を実行するようにした、すなわち、移動元のゲートウェイ装置による移動端末への保留リコール着信動作中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる。
【００５７】
（実施の形態１）
以下、図面に基づいて本発明の第１の実施の形態に関わる無線電話システムについて説明する。図１は第１の実施の形態を示す無線電話システム内部の概略構成を示すブロック図である。
【００５８】
図１に示す無線電話システム１は、複数の移動端末２と、エリア４Ｘ毎に移動端末２を無線収容接続すると共に、移動端末２をＩＰ網３に通信接続する複数のゲートウェイ装置４と、移動端末２及びゲートウェイ装置４のアドレス情報及び、移動端末２の位置情報を管理するアドレス管理装置５と、ＩＰ網３に接続するＩＰ電話機６とを有し、移動端末２は、ゲートウェイ装置４を通じてダイレクトシグナリング方式でＩＰ網３内のＩＰ電話機６と通信接続するシステムであって、移動端末２及びＩＰ電話機６間の通話保留中に移動端末２側のオンフック操作に応じて、この移動端末２が位置するエリア４Ｘのゲートウェイ装置４が移動端末２に対して保留リコール着信処理を開始し、この保留リコール着信処理に対する移動端末２側の応答操作に応じて、移動端末２及びＩＰ電話機６間の通話保留を解除して通話を再開するものである。
【００５９】
アドレス管理装置５は、ＩＰ網３との通信インタフェースを司る管理側網インタフェース１１と、移動端末２の電話番号、アドレス情報及び位置情報、ゲートウェイ装置４のアドレス情報、ＩＰ電話機６の電話番号及びアドレス情報の他に、移動端末２の“通話中”等の通信状態を管理した通信管理テーブル１２と、管理側網インタフェース１１を通じてゲートウェイ装置４、移動端末２及びＩＰ電話機６との通信制御を司る管理側通信制御部１３とを有し、管理側通信制御部１３は、例えば通信管理テーブル１２のテーブル内容に基づき、移動端末２がＩＰ電話機６と通話したまま、移動元のゲートウェイ装置４Ａのエリア４Ｘから移動先のゲートウェイ装置４Ｂのエリア４Ｘ内に移動したことを示す位置登録要求（ＲＲＱ）を受信すると、通信管理テーブル１２内の移動端末２の位置情報を更新すると共に、移動による通話終了通知（ＤＲＱ）を通話保留中のＩＰ電話機６に通知する管理側切断要求通知部１３Ａを有している。尚、移動による通話終了通知（ＤＲＱ）は、通常の通話終了通知（ＤＲＱ）の付加情報に「移動による切断」を付加したものである。
【００６０】
ゲートウェイ装置４は、ＩＰ網３との通信インタフェースを司るゲートウェイ側網インタフェース２１と、エリア４Ｘ毎に移動端末２との無線通信インタフェースを司る複数の無線インタフェース２２と、ゲートウェイ側網インタフェース２１及び無線インタフェース２２を通じてゲートウェイ装置４、移動端末２、ＩＰ電話機６及びアドレス管理装置５との通信制御を司るゲートウェイ側通信制御部２３とを有している。
【００６１】
ＩＰ電話機６は、ＩＰ網３との通信インタフェースを司る電話機側網インタフェース３１と、様々な操作機能を入力する操作部３２と、電話機側網インタフェース３１を通じてゲートウェイ装置４、移動端末２及びアドレス管理装置５との通信制御を司る電話機側通信制御部３３とを有し、電話機側通信制御部３３は、例えばアドレス管理装置５の管理側切断要求通知部１３Ａから移動による通話終了通知（ＤＲＱ）を受信すると、移動元のゲートウェイ装置４Ａによる移動端末２への保留リコール着信処理の停止を指示し、移動先のゲートウェイ装置４Ｂ経由で通話保留中の移動端末２に対して着呼（再発呼）による保留リコール着信処理を開始する保留リコール着信制御部３３Ａを有している。
【００６２】
尚、本願請求項１記載の無線電話システムは無線電話システム１、移動端末は移動端末２、ゲートウェイ装置はゲートウェイ装置４、アドレス管理装置はアドレス管理装置５、相手先端末はＩＰ電話機６、通信状態管理手段は通信管理テーブル１２、切断要求通知手段は管理側切断要求通知部１３Ａ、保留リコール着信制御手段は保留リコール着信制御部３３Ａに相当するものである。
【００６３】
次に第１の実施の形態を示す無線電話システム１の動作について説明する。図２は第１の実施の形態を示す無線電話システム１に関わる移動端末２及びＩＰ電話機６間の通話確立処理に関わる処理動作を示す動作シーケンス図である。
【００６４】
図２においてＩＰ電話機６は、例えば移動端末２の電話番号入力による移動端末２への発信操作を検出すると（ステップＳ１１）、移動端末２の電話番号に対応するアドレス情報を問い合わせるべく、移動端末２の電話番号を含むアドレス要求／通話開始通知（ＡＲＱ）をアドレス管理装置５に通知する（ステップＳ１２）。
【００６５】
アドレス管理装置５は、アドレス要求／通話開始通知（ＡＲＱ）を受信すると、移動端末２の電話番号に対応したアドレス情報、すなわち移動端末２の現在位置に相当する移動元のゲートウェイ装置４Ａのアドレス情報を含む移動端末２のアドレス情報を通信管理テーブル１２から読み出し、この読み出した移動端末２のアドレス情報を含むアドレス確認／通話開始確認（ＡＣＦ）をＩＰ電話機６に通知する（ステップＳ１３）。
【００６６】
ＩＰ電話機６は、アドレス確認／通話開始確認（ＡＣＦ）を受信すると、このアドレス確認／通話開始確認（ＡＣＦ）に含まれる移動端末２のアドレス情報に基づき、移動端末２の現在位置に相当する移動元のゲートウェイ装置４Ａに対して呼設定（ＳＥＴＵＰ）を通知する（ステップＳ１４）。
【００６７】
移動端末２が位置する移動元のゲートウェイ装置４Ａは、呼設定（ＳＥＴＵＰ）をＩＰ電話機６から受信すると、呼設定受付（ＣＡＬＬＰＲＯＣ）をＩＰ電話機６に通知すると共に（ステップＳ１５）、さらに、アドレス管理装置５で通話状態を管理するため、アドレス要求／通話開始通知（ＡＲＱ）をアドレス管理装置５に通知し（ステップＳ１６）、アドレス管理装置５からアドレス確認／通話開始確認（ＡＣＦ）を受信する（ステップＳ１７）。
【００６８】
移動元のゲートウェイ装置４Ａは、アドレス確認／通話開始確認（ＡＣＦ）を受信すると、移動端末２及びＩＰ電話機６間の通話を確立すべく、移動端末２のアドレス情報に基づき、各無線インタフェース２２を通じて着呼を移動端末２に通知する（ステップＳ１８）。
【００６９】
移動元のゲートウェイ装置４Ａは、移動端末２から着呼に対する着呼応答を受信すると（ステップＳ１９）、呼設定（ＳＥＴＵＰ）を移動端末２に通知する（ステップＳ２０）。
【００７０】
移動端末２は、呼設定（ＳＥＴＵＰ）を受信すると、呼設定受付（ＣＡＬＬＰＲＯＣ）を移動元のゲートウェイ装置４Ａに通知し（ステップＳ２１）、呼出中（ＡＬＥＲＴ）を移動元のゲートウェイ装置４Ａに通知した後（ステップＳ２２）、呼出音を鳴動する（ステップＳ２３）。
【００７１】
また、移動元のゲートウェイ装置４Ａは、移動端末２からの呼出中（ＡＬＥＲＴ）を受信すると、呼出中（ＡＬＥＲＴ）を相手先のＩＰ電話機６に通知する（ステップＳ２４）。
【００７２】
ＩＰ電話機６は、移動元のゲートウェイ装置４Ａからの呼出中（ＡＬＥＲＴ）を受信すると、リングバックトーン（Ｒｉｎｇ  Ｂａｃｋ  Ｔｏｎｅ）を音声出力する（ステップＳ２５）。
【００７３】
さらに移動端末２は、ステップＳ２３の呼出音鳴動中に応答操作を検出すると（ステップＳ２６）、応答（ＣＯＮＮＥＣＴ）を移動元のゲートウェイ装置４Ａに通知する（ステップＳ２７）。
【００７４】
移動元のゲートウェイ装置４Ａは、移動端末２からの応答（ＣＯＮＮＥＣＴ）を受信すると、応答（ＣＯＮＮＥＣＴ）を相手先のＩＰ電話機６に通知する（ステップＳ２８）。
【００７５】
ＩＰ電話機６は、移動元のゲートウェイ装置４Ａからの応答（ＣＯＮＮＥＣＴ）を受信すると、移動元のゲートウェイ装置４Ａ経由で移動端末２との通話を確立することになる（ステップＳ２９）。
【００７６】
次に移動端末２及びＩＰ電話機６間の通話確立後、移動端末２側からの保留操作に応じて通話保留を開始し、その通話保留中の移動端末２及びＩＰ電話機６間の通話を再開するために、移動元のゲートウェイ装置４Ａによる移動端末２への保留リコール着信処理を開始するまでの処理動作について説明する。図３は移動端末２及びＩＰ電話機６間の通話保留処理に関わる処理動作を示す動作シーケンス図である。
【００７７】
図３に示す移動端末２は、移動元のゲートウェイ装置４Ａ経由でＩＰ電話機６との通話中に、保留操作を検出すると（ステップＳ３１）、保留操作に相当するＩＮＦＯを移動元のゲートウェイ装置４Ａに通知する（ステップＳ３２）。
【００７８】
移動元のゲートウェイ装置４Ａは、保留操作のＩＮＦＯを受信すると、保留動作開始（ＦＡＣＩＬＩＴＹ（ｒｅｍｏｔｅ  Ｈｏｌｄ．ｉｎｖ））をＩＰ電話機６に通知する（ステップＳ３３）。
【００７９】
ＩＰ電話機６は、保留動作開始（ＦＡＣＩＬＩＴＹ（ｒｅｍｏｔｅ  Ｈｏｌｄ．ｉｎｖ））を受信すると、保留開始確認（ＦＡＣＩＬＩＴＹ（ｒｅｍｏｔｅ  Ｈｏｌｄ．ｒｒ））を移動元のゲートウェイ装置４Ａに通知する（ステップＳ３４）。
【００８０】
移動元のゲートウェイ装置４Ａは、ＩＰ電話機６からの保留開始確認（ＦＡＣＩＬＩＴＹ（ｒｅｍｏｔｅ  Ｈｏｌｄ．ｒｒ））を受信すると、移動端末２及びＩＰ電話機６間を通話保留中に設定する（ステップＳ３５）。尚、ＩＰ電話機６は、移動端末２との通信状態が通話保留中に設定されると、保留音（Ｈｏｌｄ  Ｔｏｎｅ／Ｍｅｌｏｄｙ）を音声出力することになる（ステップＳ３６）。
【００８１】
さらに移動端末２は、ＩＰ電話機６との通話保留中にオンフック操作を検出すると（ステップＳ３７）、切断を移動元のゲートウェイ装置４Ａに通知する（ステップＳ３８）。
【００８２】
移動元のゲートウェイ装置４Ａは、切断を受信すると、移動端末２との通話接続を解放する解放を移動端末２に通知する（ステップＳ３９）。移動端末２は、解放を受信すると、移動元のゲートウェイ装置４Ａとの通話接続を解放し、解放完了を移動元のゲートウェイ装置４Ａに通知する（ステップＳ４０）。
【００８３】
移動元のゲートウェイ装置４Ａは、解放完了を受信すると、通話保留中の移動端末２からの解放完了であることから、移動端末２に対して着呼を実行すべく、保留リコール着信処理を開始する（ステップＳ４１）。尚、移動元のゲートウェイ装置４Ａ側では、この保留リコール着信処理の着呼（再発呼）の通知開始から所定時間内に、同着呼（再発呼）に対する着呼応答を受信したか否かを判定し、所定時間内に着呼応答を受信した場合、移動端末２及びＩＰ電話機６間の通話保留を解除して通話を再開するものである。また、所定時間内に着呼応答を受信できなかった場合、同着呼（再発呼）を移動端末２に再度通知し、それでも所定時間内に着呼応答を受信できなかった場合、移動端末２への保留リコール着信処理による着呼（再発呼）を断念し、通話保留中のＩＰ電話機６との通話接続を切断するものである。つまり、保留リコール着信処理が失敗したことになる。
【００８４】
次に移動元のゲートウェイ装置４Ａによる移動端末２への保留リコール着信処理中に、移動端末２が他のゲートウェイ装置４が管轄するエリア４Ｘに移動した場合の保留リコール着信処理に関わる処理動作について説明する。図４は移動端末エリア移動時の保留リコール着信処理に関わる処理動作を示す動作シーケンス図である。
【００８５】
図４に示す移動元のゲートウェイ装置４Ａは、移動端末２への保留リコール着信処理を開始すると（ステップＳ５１）、移動端末２に対して着呼（再発呼）を通知する（ステップＳ５２）。この際、移動端末２は、移動元のゲートウェイ装置４Ａのエリア４Ｘから移動先のゲートウェイ装置４Ｂのエリア４Ｘへ移動した場合（ステップＳ５３）、位置登録要求を移動先のゲートウェイ装置４Ｂに通知する（ステップＳ５４）。尚、アドレス管理装置５では、通信管理テーブル１２のテーブル内容に基づき、同移動端末２の通信状態が通話状態であると認識できるものである。
【００８６】
移動先のゲートウェイ装置４Ｂは、移動端末２からの位置登録要求を受信すると、移動端末２の位置登録要求（ＲＲＱ）をアドレス管理装置５に通知する（ステップＳ５５）。
【００８７】
アドレス管理装置５は、位置登録要求（ＲＲＱ）を受信すると、移動端末２の位置情報を更新すべく、通信管理テーブル１２のテーブル内容を更新すると共に、位置情報の位置登録完了（ＲＣＦ）を移動先のゲートウェイ装置４Ｂに通知する（ステップＳ５６）。尚、アドレス管理装置５は、通信管理テーブル１２のテーブル内容に基づき、移動端末２がＩＰ電話機６と通話したまま、移動先のゲートウェイ装置４Ｂのエリア４Ｘ内に移動したものと認識できるものである。
【００８８】
移動先のゲートウェイ装置４Ｂは、位置登録完了（ＲＣＦ）を受信すると、位置登録完了を移動端末２に通知する（ステップＳ５７）。
【００８９】
また、アドレス管理装置５は、通信管理テーブル１２のテーブル内容に基づき、移動端末２がＩＰ電話機６と通話したまま、移動先のゲートウェイ装置４Ｂのエリア４Ｘ内に移動したものと認識すると、移動による通話終了通知（ＤＲＱ）をＩＰ電話機６に通知する（ステップＳ５８）。
【００９０】
ＩＰ電話機６は、移動による通話終了通知（ＤＲＱ）を受信すると、この移動による通話終了通知（ＤＲＱ）に対する通話終了確認（ＤＣＦ）をアドレス管理装置５に通知する（ステップＳ５９）。
【００９１】
さらに、ＩＰ電話機６は、通話接続中の移動元のゲートウェイ装置４Ａとの通話接続を解放して、解放完了（ＲＥＬＣＯＭＰ）を移動元のゲートウェイ装置４Ａに通知する（ステップＳ６０）。
【００９２】
移動元のゲートウェイ装置４Ａは、ＩＰ電話機６からの解放完了（ＲＥＬＣＯＭＰ）を受信すると、現在継続中の移動端末２への保留リコール着信処理を停止し（ステップＳ６１）、現在接続中のＩＰ電話機６との通話接続を切断すべく、通話終了通知（ＤＲＱ）をアドレス管理装置５に通知する（ステップＳ６２）。
【００９３】
アドレス管理装置５は、移動元のゲートウェイ装置４Ａからの通話終了通知（ＤＲＱ）を受信すると、ＩＰ電話機６及び移動元のゲートウェイ装置４Ａ間の通話接続を切断し、通信管理テーブル１２のテーブル内容を更新し、通話終了通知（ＤＲＱ）に対する通話終了確認（ＤＣＦ）を移動元のゲートウェイ装置４Ａに通知する（ステップＳ６３）。
【００９４】
また、ＩＰ電話機６は、ステップＳ６０にて解放完了（ＲＥＬＣＯＭＰ）を移動元のゲートウェイ装置４Ａに通知した後、移動端末２に対する保留リコール着信処理を開始し（ステップＳ６４）、移動端末２の電話番号に対応したアドレス情報を問い合わせるべく、アドレス要求／通話開始通知（ＡＲＱ）をアドレス管理装置５に通知する（ステップＳ６５）。
【００９５】
アドレス管理装置５は、アドレス要求／通話開始通知（ＡＲＱ）を受信すると、移動端末２の電話番号に対応したアドレス情報、すなわち移動端末２の現在位置に相当する移動先のゲートウェイ装置４Ｂのアドレス情報を含む移動端末２のアドレス情報を通信管理テーブル１２から読み出し、この読み出した移動端末２のアドレス情報を含むアドレス確認／通話開始確認（ＡＣＦ）をＩＰ電話機６に通知する（ステップＳ６６）。
【００９６】
ＩＰ電話機６は、アドレス確認／通話開始確認（ＡＣＦ）を受信すると、このアドレス確認／通話開始確認（ＡＣＦ）に含まれる移動端末２のアドレス情報に基づき、移動端末２の現在位置に相当する移動先のゲートウェイ装置４Ｂに対して呼設定（ＳＥＴＵＰ）を通知する（ステップＳ６７）。
【００９７】
移動先のゲートウェイ装置４Ｂは、呼設定（ＳＥＴＵＰ）を受信すると、呼設定受付（ＣＡＬＬＰＲＯＣ）をＩＰ電話機６に通知する（ステップＳ６８）。
【００９８】
さらに移動先のゲートウェイ装置４Ｂは、アドレス管理装置５で通話状態を管理するため、アドレス要求／通話開始通知（ＡＲＱ）をアドレス管理装置５に通知する（ステップＳ６９）。
【００９９】
アドレス管理装置５は、アドレス要求／通話開始通知（ＡＲＱ）を受信すると、アドレス確認／通話開始確認（ＡＣＦ）を移動先のゲートウェイ装置４Ｂを通知する（ステップＳ７０）。
【０１００】
移動先のゲートウェイ装置４Ｂは、アドレス確認／通話開始確認（ＡＣＦ）を受信すると、ＩＰ電話機６の保留リコール着信処理による着呼（再発呼）を、各無線インタフェース２２を通じてＩＰ電話機６と通話保留中の移動端末２に通知する（ステップＳ７１）。
【０１０１】
移動端末２は、移動先のゲートウェイ装置４Ｂからの着呼（再発呼）を受信すると、この着呼（再発呼）に対する着呼応答を移動先のゲートウェイ装置４Ｂに通知する（ステップＳ７２）。
【０１０２】
移動先のゲートウェイ装置４Ｂは、着呼応答を受信すると、呼設定（ＳＥＴＵＰ）を移動端末２に通知する（ステップＳ７３）。移動端末２は、呼設定（ＳＥＴＵＰ）を受信すると、呼設定受付（ＣＡＬＬＰＲＯＣ）を移動先のゲートウェイ装置４Ｂに通知する（ステップＳ７４）。
【０１０３】
移動先のゲートウェイ装置４Ｂは、移動端末２からの呼出中（ＡＬＥＲＴ）を受信すると（ステップＳ７５）、呼出中（ＡＬＥＲＴ）をＩＰ電話機６に通知する（ステップＳ７６）。尚、ＩＰ電話機６は、呼出中（ＡＬＥＲＴ）を受信したとしても、保留リコール着信処理中であるため、リングバックトーンを音声出力するのではなく、音声出力中の保留音の音声出力を継続するものである（ステップＳ７７）。
【０１０４】
また、移動端末２は、ステップＳ７５にて呼出中（ＡＬＥＲＴ）を移動先のゲートウェイ装置４Ｂに通知すると、呼出音を鳴動出力する（ステップＳ７８）。尚、この時点でＩＰ電話機６は、移動端末２に対して保留リコール着信状態となる。
【０１０５】
移動端末２は、呼出音の鳴動出力中に、応答操作を検出すると（ステップＳ７９）、保留リコール着信処理中のＩＰ電話機６との通話を再開すべく、応答（ＣＯＮＮＥＣＴ）を移動先のゲートウェイ装置４Ｂに通知する（ステップＳ８０）。
【０１０６】
移動先のゲートウェイ装置４Ｂは、応答（ＣＯＮＮＥＣＴ）を受信すると、応答（ＣＯＮＮＥＣＴ）をＩＰ電話機６に通知することで（ステップＳ８１）、ＩＰ電話機６及び移動端末２間の通話保留を解除して通話を再開し（ステップＳ８２）、この処理動作を終了するものである。
【０１０７】
図４に示す保留リコール着信処理によれば、移動端末２がＩＰ電話機６と保留したまま、移動先のゲートウェイ装置４Ｂのエリア４Ｘ内に移動したとしても、アドレス管理装置５側が移動による通話終了通知（ＤＲＱ）を通話保留中のＩＰ電話機６に通知し、ＩＰ電話機６側が移動による通話終了通知（ＤＲＱ）を受信すると、移動元のゲートウェイ装置４Ａによる移動端末２への保留リコール着信処理を停止し、移動先のゲートウェイ装置４Ｂ経由で通話保留中の移動端末２に対して着呼（再発呼）による保留リコール着信処理を開始するようにしたので、移動端末２がＩＰ電話機６と保留したまま、移動先のゲートウェイ装置４Ａのエリア４Ｘに移動したとしても、この着呼（再発呼）に対する移動端末２側の応答操作を検出すると、移動端末２及びＩＰ電話機６間の通話保留を解除し、移動端末２及びＩＰ電話機６間の通話を再開することができる。
【０１０８】
第１の実施の形態によれば、アドレス管理装置５側にて移動端末２毎に通信状態を管理し、この管理内容に基づき、例えば移動端末２がＩＰ電話機６と保留したまま、移動先のゲートウェイ装置４Ｂのエリア４Ｘ内に移動したことを示す位置登録要求（ＲＲＱ）を受信すると、移動による通話終了通知（ＤＲＱ）を通話保留中のＩＰ電話機６に通知し、通話保留中のＩＰ電話機６は、移動による通話終了通知（ＤＲＱ）を受信すると、移動元のゲートウェイ装置４Ａによる移動端末２への保留リコール着信処理の停止を指示し、移動先のゲートウェイ装置４Ｂ経由で通話保留中の移動端末２に対して着呼（再発呼）による保留リコール着信処理を開始するようにした、すなわち、移動元のゲートウェイ装置４Ａによる移動端末２への保留リコール着信処理中に移動端末２が移動先のゲートウェイ装置４Ｂのエリア４Ｘに移動したとしても、ＩＰ電話機６が移動先のゲートウェイ装置４Ｂ経由で通話保留中の移動端末２に対して着呼（再発呼）による移動端末２への保留リコール着信処理を開始するようにしたので、この着呼（再発呼）に対する移動端末２側の応答操作に応じて移動端末２及びＩＰ電話機６間の通話保留を解除して通話を再開することができる。
【０１０９】
尚、上記第１の実施の形態においては、移動端末２がＩＰ電話機６と保留したまま、移動先のゲートウェイ装置４Ｂのエリア４Ｘ内に移動した場合、アドレス管理装置５側で移動端末２からの位置登録要求（ＲＲＱ）を受信すると、移動による通話終了通知（ＤＲＱ）を通話保留中のＩＰ電話機６に通知し、このＩＰ電話機６側で移動による通話終了通知（ＤＲＱ）を受信すると、保留リコール着信処理を開始するようにしたが、アドレス管理装置５側が位置登録要求（ＲＲＱ）を受信すると、移動による通話終了通知（ＤＲＱ）を移動元のゲートウェイ装置４Ａに通知し、移動元のゲートウェイ装置４Ａ側で移動による通話終了通知（ＤＲＱ）を受信すると、移動による切断の解放完了（ＲＥＬＣＯＭＰ）を通話保留中のＩＰ電話機６に通知し、ＩＰ電話機６側で移動による切断の解放完了（ＲＥＬＣＯＭＰ）を受信すると、保留リコール着信処理を開始するようにしても良く、この場合の実施の形態につき、第２の実施の形態として説明する。
【０１１０】
（実施の形態２）
次に第２の実施の形態を示す無線電話システムについて説明する。図５は第２の実施の形態を示す無線電話システム内部の概略構成を示すブロック図である。尚、図１に示す無線電話システム１と同一の構成については同一符号を付すことで、その重複する構成及び動作の説明については省略する。
【０１１１】
図１に示す無線電話システム１と図５に示す無線電話システム１とが異なるところは、移動元のゲートウェイ装置４Ａ側のゲートウェイ側通信制御部２３内部に、アドレス管理装置５側の管理側切断要求通知部１３Ａからの移動による通話終了通知（ＤＲＱ）を受信すると、移動端末２への保留リコール着信処理を停止すると共に、移動による切断の解放完了（ＲＥＬＣＯＭＰ）を通話保留中のＩＰ電話機６に通知するゲートウェイ側切断要求通知部２３Ａを備え、ＩＰ電話機６側の電話機側通信制御部３３が、移動元のゲートウェイ装置４Ａから移動による切断の解放完了（ＲＥＬＣＯＭＰ）を受信すると、移動先のゲートウェイ装置４Ｂ経由で移動端末２への保留リコール着信処理を開始する点にある。尚、移動による切断の解放完了（ＲＥＬＯＭＰ）は、通常の解放完了（ＲＥＬＣＯＭＰ）の付加情報に「移動による切断」を付加したものである。
【０１１２】
尚、本願請求項２記載の無線電話システムは無線電話システム１、移動端末は移動端末２、ゲートウェイ装置はゲートウェイ装置４、アドレス管理装置はアドレス管理装置５、相手先端末はＩＰ電話機６、通信状態管理手段は通信管理テーブル１２、切断要求通知手段は管理側切断要求通知部１３Ａ、ゲートウェイ側切断要求通知手段はゲートウェイ側切断要求通知部２３Ａ、保留リコール着信制御手段は保留リコール着信制御部３３Ａに相当するものである。
【０１１３】
次に第２の実施の形態を示す無線電話システム１の動作について説明する。図６は第２の実施の形態に関わる移動端末エリア移動時の保留リコール着信処理に関わる処理動作を端的に示す動作シーケンス図である。
【０１１４】
図６に示すアドレス管理装置５は、ステップＳ５１〜ステップＳ５６までの処理（図４参照）を経て、移動端末２がＩＰ電話機６と通話保留したまま、移動先のゲートウェイ装置４Ｂのエリア４Ｘ内に移動したものと認識すると、移動による通話終了通知（ＤＲＱ）を移動元のゲートウェイ装置４Ａに通知する（ステップＳ９１）。
【０１１５】
移動元のゲートウェイ装置４Ａは、移動による通話終了通知（ＤＲＱ）を受信すると、この移動による通話終了通知（ＤＲＱ）に対する応答確認（ＤＣＦ）をアドレス管理装置５に通知し（ステップＳ９２）、移動端末２への保留リコール着信処理を停止する（ステップＳ９３）。
【０１１６】
さらに、移動元のゲートウェイ装置４Ａは、通話保留中のＩＰ電話機６に対して通話切断を通知すべく、移動による切断の解放完了（ＲＥＬＣＯＭＰ）を通話保留中のＩＰ電話機６に通知する（ステップＳ９４）。
【０１１７】
ＩＰ電話機６は、移動による切断の解放完了（ＲＥＬＣＯＭＰ）を受信すると、同移動元のゲートウェイ装置４Ａからの通話終了通知（ＤＲＱ）をアドレス管理装置５に通知する（ステップＳ９５）。
【０１１８】
さらにＩＰ電話機６は、アドレス管理装置５から通話終了通知（ＤＲＱ）の通話終了確認（ＤＣＦ）を受信すると（ステップＳ９６）、ステップＳ９４にて受信した解放完了（ＲＥＬＣＯＭＰ）が移動による切断を付加しているため、移動端末２への保留リコール着信処理を開始することになる（ステップＳ９７）。
【０１１９】
ＩＰ電話機６は、保留リコール着信処理を開始すると、移動端末２の電話番号に対応したアドレス情報を問い合わせるべく、アドレス要求／通話開始通知（ＡＲＱ）をアドレス管理装置５に通知する（ステップＳ９８）。
【０１２０】
アドレス管理装置５は、ＩＰ電話機６からのアドレス要求／通話開始通知（ＡＲＱ）を受信すると、同アドレス要求／通話開始通知（ＡＲＱ）に含まれる移動端末２の電話番号に対応したアドレス情報、すなわち移動端末２の現在位置に相当する移動先のゲートウェイ装置４Ｂのアドレス情報を含む移動端末２のアドレス情報を通信管理テーブル１２から読み出し、この読み出した移動端末２のアドレス情報を含むアドレス確認／通話開始確認（ＡＣＦ）をＩＰ電話機６に通知する（ステップＳ９９）。
【０１２１】
ＩＰ電話機６は、アドレス確認／通話開始確認（ＡＣＦ）を受信すると、このアドレス確認／通話開始確認（ＡＣＦ）に含まれる移動端末２のアドレス情報に基づき、移動端末２が位置する移動先のゲートウェイ装置４Ｂに呼設定（ＳＥＴＵＰ）を通知する（ステップＳ１００）。移動先のゲートウェイ装置４Ｂは、呼設定（ＳＥＴＵＰ）を受付応答する呼設定受付（ＣＡＬＬＰＲＯＣ）をＩＰ電話機６に通知する（ステップＳ１０１）。
【０１２２】
移動先のゲートウェイ装置４Ｂは、呼設定受付（ＣＡＬＬＰＲＯＣ）をＩＰ電話機６に通知すると、呼設定したＩＰ電話機６の電話番号に対応したアドレス情報を問い合わせるべく、アドレス要求／通話開始通知（ＡＲＱ）をアドレス管理装置５に通知する（ステップＳ１０２）。
【０１２３】
アドレス管理装置５は、アドレス要求／通話開始通知（ＡＲＱ）を受信すると、アドレス要求／通話開始通知（ＡＲＱ）に含まれるＩＰ電話機６の電話番号に対応するアドレス情報を読み出し、このアドレス情報を含むアドレス確認／通話開始確認（ＡＣＦ）を移動先のゲートウェイ装置４Ｂに通知する（ステップＳ１０３）。
【０１２４】
移動先のゲートウェイ装置４Ｂは、アドレス確認／通話開始確認（ＡＣＦ）を受信すると、ＩＰ電話機６の保留リコール着信処理による着呼（再発呼）を、各無線インタフェース２２を通じて移動端末２に通知する（ステップＳ１０４）。
【０１２５】
移動端末２は、着呼（再発呼）を受信すると、この着呼（再発呼）に受付応答する着呼応答を移動先のゲートウェイ装置４Ｂに通知する（ステップＳ１０５）。
【０１２６】
移動先のゲートウェイ装置４Ｂは、着呼応答を受信すると、移動端末２に呼設定（ＳＥＴＵＰ）を通知する（ステップＳ１０６）。
【０１２７】
移動端末２は、呼設定（ＳＥＴＵＰ）を受信すると、この呼設定（ＳＥＴＵＰ）を受付応答する呼設定受付（ＣＡＬＬＰＲＯＣ）を移動先のゲートウェイ装置４Ｂに通知し（ステップＳ１０７）、呼出中（ＡＬＥＲＴ）を移動先のゲートウェイ装置４Ｂに通知する（ステップＳ１０８）。
【０１２８】
移動先のゲートウェイ装置４Ｂは、呼出中（ＡＬＥＲＴ）を受信すると、この呼出中（ＡＬＥＲＴ）をＩＰ電話機６に通知する（ステップＳ１０９）。尚、ＩＰ電話機６は、呼出中（ＡＬＥＲＴ）を受信したとしても、保留リコール着信処理中であるため、リングバックトーンを音声出力するのではなく、音声出力中の保留音の音声出力を継続するものである（ステップＳ１１０）。
【０１２９】
また、移動端末２は、ステップＳ１０８にて呼出中（ＡＬＥＲＴ）を移動先のゲートウェイ装置４Ｂに通知すると、呼出音を鳴動出力する（ステップＳ１１１）。この時点でＩＰ電話機６は、移動端末２に対して保留リコール着信状態となる。
【０１３０】
移動端末２は、呼出音の鳴動出力中に、応答操作を検出すると（ステップＳ１１２）、保留リコール着信処理中の移動端末２との通話を再開すべく、応答（ＣＯＮＮＥＣＴ）を移動先のゲートウェイ装置４Ｂに通知する（ステップＳ１１３）。
【０１３１】
移動先のゲートウェイ装置４Ｂは、応答（ＣＯＮＮＥＣＴ）を受信すると、応答（ＣＯＮＮＥＣＴ）をＩＰ電話機６に通知することで（ステップＳ１１４）、ＩＰ電話機６及び移動端末２間の通話保留を解除して通話を再開し（ステップＳ１１５）、この処理動作を終了するものである。
【０１３２】
図６に示す保留リコール着信処理によれば、移動端末２がＩＰ電話機６と保留したまま、移動先のゲートウェイ装置４Ｂのエリア４Ｘ内に移動したとしても、アドレス管理装置５側が移動による通話終了通知（ＤＲＱ）を移動元のゲートウェイ装置４Ａに通知し、移動元のゲートウェイ装置４Ａが移動による通話終了通知（ＤＲＱ）を受信すると、保留リコール着信処理を停止し、移動による切断の解放完了（ＲＥＬＣＯＭＰ）を通話保留中のＩＰ電話機６に通知し、ＩＰ電話機６側にて移動による切断の解放完了（ＲＥＬＣＯＭＰ）を受信すると、移動端末２に対する移動元のゲートウェイ装置４Ａ経由で保留リコール着信処理を開始するようにしたので、移動端末２がＩＰ電話機６と保留したまま、移動先のゲートウェイ装置４のエリア４Ｘに移動したとしても、この着呼（再発呼）に対する移動端末２側の応答操作を検出すると、移動端末２及びＩＰ電話機６間の通話保留を解除し、移動端末２及びＩＰ電話機６間の通話を再開することができる。
【０１３３】
第２の実施の形態によれば、アドレス管理装置５側にて移動端末２毎に通信状態を管理し、この管理内容に基づき、移動端末２がＩＰ電話機６と保留したまま、移動先のゲートウェイ装置４Ｂのエリア４Ｘ内に移動したことを示す位置登録要求を受信すると、通話保留中の移動端末２への保留リコール着信処理中の移動元のゲートウェイ装置４Ａに対して、移動による通話終了通知（ＤＲＱ）を通知し、移動元のゲートウェイ装置４Ａは、アドレス管理装置５から移動による通話終了通知（ＤＲＱ）を受信すると、移動端末２への保留リコール着信処理を停止すると共に、移動による切断の解放完了（ＲＥＬＣＯＭＰ）を、通話保留中のＩＰ電話機６に通知し、通話保留中のＩＰ電話機６は、移動元のゲートウェイ装置４Ａから移動による切断の解放完了（ＲＥＬＣＯＭＰ）を受信すると、移動端末２の移動元のゲートウェイ装置４Ａとの通話接続を切断し、移動先のゲートウェイ装置４Ｂ経由で通話保留中の移動端末２に対して着呼（再発呼）による保留リコール着信処理を開始するようにした、すなわち、移動元のゲートウェイ装置４Ａによる移動端末２への保留リコール着信処理中に移動端末２が移動先のゲートウェイ装置４Ｂのエリア４Ｘに移動したとしても、ＩＰ電話機２が移動先のゲートウェイ装置４Ｂ経由で通話保留中の移動端末２に対して着呼（再発呼）による移動端末２への保留リコール着信処理を開始するようにしたので、この着呼（再発呼）に対する移動端末２側の応答操作に応じて移動端末２及びＩＰ電話機６間の通話保留を解除し、その通話を再開することができる。
【０１３４】
尚、上記実施の形態においては、エリア４Ｘ毎に配置された無線インタフェース２２をゲートウェイ装置４に内蔵するようにしたが、無線インタフェース２２を無線基地局としてゲートウェイ装置４と別体にしたとしても同様の効果が得られることは言うまでもない。
【産業上の利用可能性】
【０１３５】
上記のように構成された本発明の無線電話システムによれば、移動元のゲートウェイ装置による移動端末への保留リコール着信処理中に移動端末が移動先のゲートウェイ装置のエリアに移動したとしても、相手先端末が移動先のゲートウェイ装置経由で通話保留中の移動端末に対して再発呼による移動端末への保留リコール着信動作を実行するようにしたので、この再発呼に対する移動端末側の応答操作に応じて移動端末及び相手先端末間の通話保留を解除して通話を再開することができる、例えばＴＴＣ標準ＪＴ−Ｈ３２３又はＩＴＵ勧告Ｈ．３２３に基づく通信ネットワークと通信接続するゲートウェイ装置を備えた無線電話システムに有用である。
【図面の簡単な説明】
【０１３６】
【図１】本発明に関わる第１の実施の形態を示す無線電話システム内部の概略構成を示すブロック図
【図２】第１の実施の形態を示す無線電話システムに関わる移動端末及びＩＰ電話機間の通話確立処理に関わる処理動作を示す動作シーケンス図
【図３】第１の実施の形態を示す無線電話システムに関わる移動端末及びＩＰ電話機間の通話保留処理に関わる処理動作を示す動作シーケンス図
【図４】第１の実施の形態を示す無線電話システムに関わる移動端末エリア移動時の保留リコール着信処理に関わる処理動作を示す動作シーケンス図
【図５】第２の実施の形態を示す無線電話システム内部の概略構成を示すブロック図
【図６】第２の実施の形態を示す無線電話システムに関わる移動端末エリア移動時の保留リコール着信処理に関わる処理動作を示す動作シーケンス図
【図７】従来の無線電話システム内部の概略構成を示すブロック図
【図８】従来の無線電話システムに関わる移動端末及びＩＰ電話機間の通話確立処理に関わる処理動作を示す動作シーケンス図
【図９】従来の無線電話システムに関わる移動端末及びＩＰ電話機間の保留リコール着信処理に関わる処理動作を示す動作シーケンス図
【図１０】従来の無線電話システムに関わる移動端末エリア移動時の保留リコール着信処理に関わる処理動作を示す動作シーケンス図
【符号の説明】
【０１３７】
１  無線電話システム
２  移動端末
４  ゲートウェイ装置
５  アドレス管理装置
６  ＩＰ電話機（相手先端末）
１２  通信管理テーブル（通信状態管理手段）
１３Ａ  切断要求通知手段（管理側切断要求通知部）
２３Ａ  ゲートウェイ側切断要求通知部（ゲートウェイ側切断要求通知手段）
３３Ａ  保留リコール着信制御部（保留リコール着信制御手段）
【図１】
2008219632.tif 000003
【図２】
2008219632.tif 000004
【図３】
2008219632.tif 000005
【図４】
2008219632.tif 000006
【図５】
2008219632.tif 000007
【図６】
2008219632.tif 000008
【図７】
2008219632.tif 000009
【図８】
2008219632.tif 000010
【図９】
2008219632.tif 000011
【図１０】
2008219632.tif 000012